(57)【要約】管内に位置するフレーム／マスクアセンブリを有する陰極線管であり、当該フレーム／マスクアセンブリは管内の所定位置に、第１端部（５３）でフレームに溶接される第１アーム（４８）と、スプリングを形成する第２アーム（４６）とを有する支持手段により保持される。第２アームの第１端部（５０）は、陰極線管のガラスエンベロープに一体化した突起部をはめ込む開口部（５５）を有し、第２アームの第２端部（５１）は第１アームの第２端部（５４）に溶接され、２つのアームは各第１端部（５０、５３）が実質的に向き合って位置するように延びる。当該支持要素は、フレームに一体化された舌状部（６０）であって、第２アームの第１端部方向に延び、当該端部に形成される開口部（６１）を介して当該端部を通ることができる舌状部（６０）をさらに有する。
2006508511.tif 000002
【特許請求の範囲】
【請求項１】
陰極線管であって、
カラー選択マスク（２４）；
前記管内の所定位置に前記マスクを保持することを目的とするフレーム（３２）；及び
前記管内で前記フレームを支持する支持要素（３４）；を有し、
少なくともひとつの前記支持要素（３４）は、第１端部（５３）で前記フレームに結合する第１アーム（４８）と、スプリングを形成する第２アーム（４６）とを有し、
前記第２アームの第１端部（５０）は、前記陰極線管のガラスエンベロープにある突起部（４４）をはめ込むための開口部（５５）を有し、前記第２アームの第２端部（５１）は、前記第１アームの第２端部（５４）に結合され、
２つの前記アームは、それぞれ第１端部（５０、５３）が実質的に向かい合って位置するように延び、
前記支持要素は、前記第２アームの前記端部方向に延び当該端部の開口部（６１、６１’）を介して当該端部を通り、かつ前記フレームに一体化した舌状部（６０、６０’）をさらに有する、
ことを特徴とする陰極線管。
【請求項２】
前記舌状部及び前記第１アームが単一部材を形成することを特徴とする請求項１に記載の陰極線管。
【請求項３】
前記舌状部が前記フレームのフランジに結合されることを特徴とする請求項１に記載の陰極線管。
【請求項４】
前記第２アームの前記端部に形成される前記開口部がノッチ（６１’）であることを特徴とする請求項１に記載の陰極線管。
【請求項５】
前記舌状部の厚さが前記第２アームの厚さより厚いことを特徴とする請求項１に記載の陰極線管。
【請求項６】
前記第２アームの前記端部に形成される前記開口部がスロット（６１）であることを特徴とする請求項１に記載の陰極線管。
【請求項７】
前記支持要素（３４）が前記フレームのコーナーに位置し、
前記スロットの長いほうの幅（６２）が、前記フレームの対角線に実質的に垂直である方向に延びることを特徴とする請求項６に記載の陰極線管。
【発明の詳細な説明】
【技術分野】
【０００１】
本発明は、固定フレームにより所定位置に保持されたカラー選択マスクに関し、より詳細には、管内にフレーム／マスクアセンブリの支持手段を有するカラー陰極線管に関する。
【背景技術】
【０００２】
本発明は、カラー選択マスクを有する如何なるタイプの管にも適用できる。マスクが、自身の取り付けられる固定フレームの縁部にテンションにより固定される管だけでなく、マスクがプレスにより形成される管にも同様に適用される。
【０００３】
従来のカラー陰極線管は真空ガラスエンベロープを有する。管はエンベロープの内部に、管のガラスのフェースプレートから適切な距離に置かれるカラー選択マスクと、赤、緑及び青の蛍光体の配列がスクリーンを形成する為に付されたフェースプレートとを有する。管内部の後方の部分に配置される電子銃は３つの電子ビームをフェースプレート方向に生成する。電磁偏光装置が一般的には電子銃に近接する管外の位置に配置され、それは蛍光体配列が配されたパネルの表面を電子ビームが走査するよう電子ビームを偏光させる機能を有する。それぞれが特定の原色に対応する３つの電子ビームの影響を受けて、蛍光体配列はスクリーン上にカラー画像を再現することができる。当該マスクは、各ビームが対応する特定カラーの蛍光体のみを照射することを可能とする。管を使用する間、カラー選択マスクは当該管内の適切な位置に配置され、保持されなければならない。当該マスクを保持する機能は、一般的には柔軟性のない長方形の金属フレームにマスクを溶接することで実現される。
【発明の開示】
【発明が解決しようとする課題】
【０００４】
フレーム／マスクアセンブリは、管のフェースプレートを形成するガラスに差し込まれた突起部をフレームに溶接された支持手段にはめ込むことで、管のフェースプレートにマウントされる。
【０００５】
カラー選択マスクは非常に薄い金属箔から製造され、有効表面と呼ばれる光を通す隙間のある表面を有する。光を通す隙間は化学エッチングにより生成され、一般的には垂直縦列に配される。有効表面は、光を通す隙間のない周縁に囲まれている。マスクは、一般的にはスポット溶接により当該周縁をフレームに固定される。
【０００６】
カラー陰極線管の大多数では、フレームに固定された弾力性のある支持手段にフェースプレートのガラス壁に差し込まれた突起部をはめ込むことで、フレーム／マスクアセンブリが管のフェースプレートにより支持される。
【０００７】
支持手段は、蛍光体配列の製造工程の種々の段階で、フレーム／マスクアセンブリをフェースプレートから複数回取り外すことができるよう十分な弾力性を有していなければならない。
【０００８】
支持手段は一般的にはフレームの側面中央あるいは当該フレームのコーナーに配される。すべての場合において、フレーム／マスクアセンブリのフェースプレートへの組み入れ及びフェースプレートからの取り外しの操作が多数回行われる場合、蛍光体スクリーンに対する当該アセンブリの最終位置、及びそれに付随するマスクの位置は、わずかながら当該スクリーンに対しオフセットされてしまう場合がある。このオフセットは、管の製造後において、管への機械的ショックにより生じる場合もある。すべての場合において、このオフセットはイメージの変色を引き起こす。マスクがスクリーンからの適切な距離にないためである。
【課題を解決するための手段】
【０００９】
本発明は、ショック及び振動に強く、マスクと蛍光体スクリーンとの間の所望の距離をより正確に保証できるフレーム／マスクアセンブリの支持構造を提供する。
【００１０】
このため、本発明に従った陰極線管は、以下のものを有する。
−カラー選択マスク。
−管内の所定の位置にマスクを保持するためのフレーム。
−管内でフレームを支持する支持要素。
少なくともひとつの支持要素は、第１端部でフレームに溶接される第１アーム及びスプリングを形成する第２アームを有する。第２アームは陰極線管のガラスエンベロープにある突起部をはめ込むための開口部を有する第１端部、及び、第１アームの第２端部に溶接される第２端部を有する。２つのアームは、それぞれの第１端部が実質的に向かい合って位置するように延びる。当該支持要素はさらに、フレームに一体化した舌状部を有することを特徴とする。当該舌状部は、第２アームの第１端部方向に延び当該第１端部のスロットを介して当該第１端部を通過する。
【００１１】
本発明は、後の記載及び図の活用によって、より理解が進むものと思われる。
【発明を実施するための最良の形態】
【００１２】
図１は、ガラスエンベロープ１０を有するカラー陰極線管８を示す。ガラスエンベロープ１０は、フェースプレート１２及び円筒状のネック１４で終端となるファンネル形状のフレアー型リヤパート１６を有する。フェースプレート１２は、終端がリヤパート１６にシールされる周辺スカート２０で取り囲まれ、ディスプレイスクリーンとしての役割を果たす実質的に平坦な部分１８を有する。フェースプレート１２は、２つの直交する軸を有する。２つの直交する軸は、一般的に水平方向である長径に平行な主軸Ｘ−Ｘ、及び、一般的に垂直方向である短径に平行な短軸Ｙ−Ｙである。これら２つの軸は、円筒状のネック１４の中心及びフェースプレート１２の中心を通過する管の長手方向軸Ｚ−Ｚに垂直である。赤、緑及び青の三原色の蛍光体モザイクを備えたスクリーン２２は、フェースプレート１２の内部表面１８上に正確に置かれる。カラー選択電極２４はまた、シャドウマスクとも呼ばれ、当該フェースプレート１２の反対側に多くのオリフィスのある有効表面を有する。当該管の種々の製造工程において、当該マスクが取り付けられ、取り外されることを可能とする本発明に従い、この電極はスクリーン２２から適切な距離を保って当該管の中の所定位置に保持される。電子銃２６が当該管のネック部に取り付けられ、マスク２４の当該オリフィスを介しスクリーン２２上に収束する３つの電子ビームを生成する。
【００１３】
図１の管は、当該電子銃の電子ビームを偏光させる外部装置２８と協働するよう設計されており、当該外部装置は、当該管のネック部とガラスエンベロープのフレアー部分１６との間の接合部の近くに配置される。偏光装置２８が、当該電子銃の電子ビームを偏光させる磁場を水平及び垂直に作り出し、電子ビームがスクリーン２２の表面全体を走査できるようにする。
【００１４】
当該マスクはその外周において固定フレーム３２に固定され、図１、２及び３に示すフレーム／マスクアセンブリを形成する。フレーム３２は、一般的には、当該スクリーン方向に延びる第１フランジ３６と、当該スクリーンの実質的に水平方向に延びる第２フランジ３８とから成る、長手方向軸Ｚ−Ｚに向かうＬ型断面を有する。当該フレームの各コーナー４２は、当該フレームの対角線に実質的に垂直である面で面取りされる。
【００１５】
マスク２４は光を通す多くの隙間を持ち、光を通す隙間のない部分２７及びスカート２９で縁取られる有効部分２５を有する。有効部分２５は、部分２７のそれぞれでスクリーン２２の反対方向に折り曲げられて延びる。当該マスクは、スカート２９をフランジ３６に溶接して当該フレームに固定される。あるいは当該マスクは、フランジ３６の２つの平行する端面へ引っ張るように溶接され、テンションにより保持されることも可能である。
【００１６】
当該マスク／フレームアセンブリは当該管の内部で支持手段３４により保持される。支持手段３４は当該フレームに固定され、フェースプレート１２のスカート２０に差し込まれた突起部４４にはめ込まれる。これら支持手段は当該フレームの側面中央に近接していてもよく、また図２で示されるように当該フレームのコーナー部にあってもよい。支持手段３４は、図３に示し、図４にその詳細を示すように細長い金属プレートでできた２つのアーム４６及び４８を有する。プレート４８は一方の端部５３をフランジ３６に、他方の端部５４をアーム４６の一方の端部５１に溶接される。このアーム４６はスプリングを形成し、アーム４８の端部５３にほぼ向かい合うように配置される第２の端部５０を有する。端部５０は突起部４４にはめ込むための開口部５５を含む。当該突起部は実質的に円錐台形状であり、フレーム／マスクアセンブリを支持し保持するために開口部５５を通る。スプリングアーム４６の端部５０及び５１は中間部５２により結合される。中間部５２はこれら端部の表面それぞれに対し折れ曲がっており、端部を押すことでスプリング効果により端部５０を突起部４４から開放するためのリリース領域を形成する。
【００１７】
２つのアーム４６及び４８は一般的には同じ素材から作られ、その厚みによりお互いを区別する。アーム４６に要求されるスプリング力を付けるために、アーム４６の厚みはアーム４８の厚みより一般的には薄いものとする。
【００１８】
当該管がショックを受けやすい場合には、フレーム／マスクアセンブリが突起部４４の軸方向及び直交方向の２つの成分の力の合力として見られる力に晒され易い点に留意すべきであった。後者の成分は、スプリングアームが円錐台形状の突起部４４の周りを動いて、開口部５５のエッジと当該突起部の支持面との摩擦を生じさせてしまう。この摩擦は円錐台形状の突起部の表面にダメージを与え、開口部５５のエッジがもはや当該表面上を自由にスライドできなくなる点に留意すべきであった。これら表面の不整は、ショックで生ずる回転動作で、スプリングアームがもはやその初期位置に戻れなくなってしまい、当該スクリーンと当該マスクとの不整合を生じさせる位置にスプリングアームを固定してしまう。その結果、当該管におけるスクリーンのカラーレジスタにオフセットが生じてしまうこととなった。
【実施例】
【００１９】
本発明は、突起部４４の周りにおけるこれらスプリングアームの回転動作を阻止した陰極線管を提供する。図５Ａ、５Ｂ及び５Ｃに示す第１実施例は、支持手段３４がさらに金属舌状部６０を有する。舌状部６０はフレームに固定され、スプリングアーム４６の端部５０方向に延び、スプリングアーム４６にあるスロット６１を通る。
【００２０】
図５Ａ、５Ｂ及び５Ｃに示す実施例では、フレームに溶接された舌状部６０及びアーム４８が単一部材を形成する。舌状部６０は、アーム４８を形成するものと同じ金属のプレートから、フレーム表面に溶接される端部５３に実質的に直角方向に延びるように、切断され折り曲げられることにより形成される。
【００２１】
支持手段がフレームのコーナー部に配置される場合には、好適にはスロットの長軸の長さ６２がフレームの対角線に実質的に垂直な方向に延びるように、スロット６１が配置される。スロットの長さ６２は機械的クリアランスの範囲で舌状部６０の同一方向の寸法に一致し、スプリングアーム４６の端部の如何なる無用な動きも、当該端部の円筒形状の突起部４４の周りにおける如何なる回転をも阻止する。フレーム／マスクアセンブリを管のフェースプレート１２から取り外すためには、アーム４６の端部をアーム４８方向に押し返すだけでよく、舌状部６０はそのときスロット６１の中にスライドする。
【００２２】
スロット６１は異なる形状であってもよい。突起部４４の周りの回転動作を阻止するのに適した如何なる形状も同一目的に使用され得る。
【００２３】
図６は本発明の第２実施例を示すが、舌状部６０’が支持アームから分離しており、フレームに直接溶接されている。この構造の利点は、１種類かつ同一のサポートアームシステム４６、４８を、製造される管のすべてのファミリーに固定装置なしに使用でき、ショックでレジスタを失い易いタイプの管にのみ、追加の舌状部６０’状の固定装置を付加できるという点にある。
【００２４】
図７は本発明の第３実施例を示すが、アーム４６の端部の開口部がノッチ６１’状で、長軸の長さ６２は機械的クリアランスの範囲で舌状部６０又は６０’の同一方向の長さに一致する。
【００２５】
本発明は、フレームのコーナーに配置されるフレーム／マスクアセンブリの支持手段に限定されるものではなく、フレームの側面、典型的には当該側面の中央部に近い位置に配置される支持手段にも同様に使用され得る。
【００２６】
フレームのコーナー及び側面に配置された支持手段を双方組み込んだ管にも適用され得る。例えば、その構造によりフレーム／マスクアセンブリがかなりの重量となり、ショックに非常に敏感な超大型管がある。
【００２７】
同様に、本発明は、フレームがマスクに統合され当該フレームがマスクの周辺部を折り曲げて製作されるような管にも適用され得る。
【図面の簡単な説明】
【００２８】
【図１】本発明を組み入れる陰極線管の側断面図である。
【図２】図１に示す管のフェースプレート及びフレーム／マスクアセンブリの部分上面図である。
【図３】フレーム／マスクアセンブリの従来技術に従った支持手段を示す、１つのコーナーの、フェースプレートの断面図である。
【図４】図３の支持手段の詳細図である。
【図５Ａ】本発明の第１実施例を示す図である。
【図５Ｂ】本発明の第１実施例を示す図である。
【図５Ｃ】本発明の第１実施例を示す図である。
【図６】本発明の第２実施例の断面図である。
【図７】本発明の代替実施例を示す図である。
【図１】
2006508511.tif 000003
【図２】
2006508511.tif 000004
【図３】
2006508511.tif 000005
【図４】
2006508511.tif 000006
2006508511.tif 000007
【図６】
2006508511.tif 000008
【図７】
2006508511.tif 000009
【国際調査報告】
2006508511.tif 000010
2006508511.tif 000011
2006508511.tif 000012
2006508511.tif 000013